(57)【要約】【課題】フィット性の高いゴーグルを提供する。【解決手段】  軟質の弾性材料から形成されたレンズフレーム１２と前記レンズフレームの外周の少なくとも一部を囲むアウターフレーム１３とを含むゴーグル１０において、前記アウターフレームは、硬質のプラスチック材料から形成されており、フレーム本体１３ａと、前記レンズフレームの上側において横方向Ｘの中央部に位置する中央プレート３３とを有し、前記フレーム本体は、前記中央部において離間して前記レンズフレームに取り付けられた一対の上部域３４を有し、前記一対の上部域は、前記中央部において前記中央プレートに連結されるとともに、前記中央プレートに対して後方へ旋回可能である。【選択図】図１
2016049280.tif 000002
【特許請求の範囲】
【請求項１】
互いに直交する上下方向、横方向及び前後方向を有し、前面にレンズが取り付けられ、軟質の弾性材料から形成されたレンズフレームと、前記レンズフレームの外周の少なくとも一部を囲むアウターフレームとを含むゴーグル本体と、前記ゴーグル本体に連結されたストラップとを含むゴーグルにおいて、
前記アウターフレームは、硬質のプラスチック材料から形成されており、フレーム本体と、前記レンズフレームの上側において前記横方向の中央部に位置する中央プレートとを有し、
前記フレーム本体は、前記中央部において離間して前記レンズフレームに取り付けられた一対の上部域を有し、前記一対の上部域は、前記中央部において前記中央プレートに連結されるとともに、前記中央プレートに対して後方へ旋回可能であることを特徴とする前記ゴーグル。
【請求項２】
前記中央プレートと前記上部域との連結部は、前記上下方向に延びる軸部と、前記軸部に対して旋回可能な軸受部とを有する請求項１に記載のゴーグル。
【請求項３】
前記中央プレートは、前記横方向において対向する両側部を有し、
前記上部域は、前記前後方向において対向する内端縁及び外端縁と、前記連結部が位置して前記中央プレートと前記上下方向において重なる内端部とを有し、
前記軸部は前記中央プレートの前記両側部に位置し、前記軸受部は前記上部域の前記内端縁から前記外端縁へ向かって延びる凹溝からなり、前記中央プレートが、前記上部域に着脱可能に連結される請求項１又は２に記載のゴーグル。
【請求項４】
前記フレーム本体は、前記横方向に離間する一対のサイドフレームからなる請求項１〜３のいずれかに記載のゴーグル。
【請求項５】
前記レンズフレームの上側及び下側には、複数の開孔を有するベンチレーション部が位置し、
前記フレーム本体の前記上部域には、前記前後方向に貫通し、かつ前記レンズフレームの前記上側の前記ベンチレーション部と連通する複数の空気流路が位置する請求項１〜４のいずれかに記載のゴーグル。
【請求項６】
前記中央プレートの前記横方向の寸法が、前記アウターフレームの前記横方向の寸法の１０〜１５％の大きさを有する請求項１〜５のいずれかに記載のゴーグル。
【発明の詳細な説明】
【技術分野】
【０００１】
本発明は、ヘルメットの着用時に使用可能なゴーグルに関する。
【背景技術】
【０００２】
従来、ヘルメットの着用時に使用可能なゴーグルは公知である。特許文献１には、レンズフレームと、該レンズフレームの周囲に取り付けられた一対のアウターフレームとを有するゴーグルが開示されており、一対のアウターフレームは、レンズフレームと一体成形された軟質の弾性樹脂からなり、レンズフレームの左右部分に離間して形成されている。
【先行技術文献】
【特許文献】
【０００３】
【特許文献１】特開平１０−２２９９９８号公報
【発明の概要】
【発明が解決しようとする課題】
【０００４】
スキー場、工事現場又は救助現場等、ヘルメットを着用した状態で使用されるゴーグルでは、ゴーグルをヘルメットの上から装着する際に、着用者の顔面とゴーグルとの間に隙間が形成されやすいことから、顔面に対するフィット性を向上させるための対策が求められている。特許文献１のゴーグルでは、一対のアウターフレームがレンズフレームの上側において横方向に互いに離間して位置していることによって、一対のアウターフレームの間に位置する中央部分において、軟質のレンズフレームが変形しやすくなっている。これにより、レンズフレームの横方向における両側が着用者の顔面側である後方側に変形しやすくなり、フィット性を高めている。
【０００５】
しかし、レンズフレームの上側の中央部分は、軟質の弾性材料で形成されており、アウターフレームが存在していないため、アウターフレームが動くと該中央部分も一緒に動いてしまいフィット性が損なわれるおそれがある。
【０００６】
本発明は、上記実情に鑑みて、フィット性の高いゴーグルを提供することを目的とする。
【課題を解決するための手段】
【０００７】
上記課題を達成するために、本発明が対象とするのは、互いに直交する上下方向、横方向及び前後方向を有し、前面にレンズが取り付けられ、軟質の弾性材料から形成されたレンズフレームと、前記レンズフレームの外周の少なくとも一部を囲むアウターフレームとを含むゴーグル本体と、前記ゴーグル本体に連結されたストラップとを含むゴーグルである。
【０００８】
本発明は、前記ゴーグルにおいて、前記アウターフレームは、硬質のプラスチック材料から形成されており、フレーム本体と、前記レンズフレームの上側において前記横方向の中央部に位置する中央プレートとを有し、前記フレーム本体は、前記中央部において離間して前記レンズフレームに取り付けられた一対の上部域を有し、前記一対の上部域は、前記中央部において前記中央プレートに連結されるとともに、前記中央プレートに対して後方へ旋回可能であることを特徴とする。
【０００９】
本発明の好ましい実施形態の一つにおいて、前記中央プレートと前記上部域との連結部は、前記上下方向に延びる軸部と、前記軸部に対して旋回可能な軸受部とを有する。
【００１０】
本発明の好ましい実施形態の一つにおいて、前記中央プレートは、前記横方向において対向する両側部を有し、前記上部域は、前記前後方向において対向する内端縁及び外端縁と、前記連結部が位置して前記中央プレートと前記上下方向において重なる内端部とを有し、前記軸部は前記中央プレートの前記両側部に位置し、前記軸受部は前記上部域の前記内端縁から前記外端縁へ向かって延びる凹溝からなり、前記中央プレートが、前記上部域に着脱可能に連結される。
【００１１】
本発明の好ましい実施形態の一つにおいて、前記フレーム本体は、前記横方向に離間する一対のサイドフレームからなる。
【００１２】
本発明の好ましい実施形態の一つにおいて、前記レンズフレームの上側及び下側には、複数の開孔を有するベンチレーション部が位置し、前記フレーム本体の前記上部域には、前記前後方向に貫通し、かつ前記レンズフレームの前記上側の前記ベンチレーション部と連通する複数の空気流路が位置する。
【００１３】
本発明の好ましい実施形態の一つにおいて、前記中央プレートの前記横方向の寸法が、前記アウターフレームの前記横方向の寸法の１０〜１５％の大きさを有する。
【００１４】
本発明の好ましい実施形態の一つにおいて、前記レンズフレームと前記アウターフレームとは、それぞれ、前方へ凸に湾曲する形状を有する。
【発明の効果】
【００１５】
本発明に係るゴーグルは、アウターフレームが、硬質のプラスチック材料から形成されており、フレーム本体と、レンズフレームの上側において横方向の中央部に位置する中央プレートとを有し、フレーム本体は、中央部において離間してレンズフレームに取り付けられた一対の上部域を有し、一対の上部域は、中央部において中央プレートに連結されるとともに、中央プレートに対して後方に向かって旋回可能であるため、レンズフレームの横方向における両側部分がフレーム本体とともに着用者の顔面側である後方側に変形しやすく、フィット性に優れている。更に、レンズフレームの上側の中央部に硬質のプラスチック材料から形成された中央プレートが位置するため、中央部分の動きを抑えて、フィット性をより向上させることができる。
【図面の簡単な説明】
【００１６】
【図１】本発明に係るゴーグルの斜視図。
【図２】図１に示したゴーグルの分解斜視図。
【図３】レンズフレームの斜視図。
【図４】（ａ）：フレーム本体の斜視図。（ｂ）：フレーム本体の正面図。
【図５】中央プレートを下方側からみた斜視図。
【図６】（ａ）：ゴーグル本体の平面図。（ｂ）：図６（ａ）のＶＩｂ部位におけるアウターフレームの底面図。
【図７】（ａ）：ゴーグル本体において一対のサイドフレームを後方に旋回した状態を示す平面図。（ｂ）：図７（ａ）のＶＩＩｂ部位におけるアウターフレームの底面図。
【図８】バックルがゴーグル本体の接続部に対して旋回する様子を示す図。
【図９】図８のＩＸ−ＩＸ線に沿う断面図であって、アジャスターユニットがベースに対して旋回する様子を示す図。
【図１０】アタッチメントの斜視図。
【図１１】ゴーグルをヘルメットに装着した状態を示す側面図。
【００１７】
以下に、本発明に係るゴーグルの実施形態を詳細に説明する。尚、本発明は、この実施形態に限定されるものではない。
【００１８】
図１及び図２は、本発明の実施形態であるゴーグル１０の斜視図及び分解斜視図である。図示例のゴーグル１０は、互いに直交する上下方向Ｙ、横方向Ｘ及び前後方向Ｚとを有している。ゴーグル１０は、前面にレンズ１１が取り付けられているレンズフレーム１２及びレンズフレーム１２の周囲に取り付けられるアウターフレーム１３を含むゴーグル本体１８と、アウターフレーム１３の横方向Ｘの両端に配置されたバックル１４と、バックル１４を介してアウターフレーム１３に取り付けられる、長さ調整可能なストラップ１５と、ストラップ１５に取り付けられた取付具１６を介してゴーグル本体１８をヘルメット１００（図１１参照）に装着するためのアタッチメント１７とを含む。レンズフレーム１２とアウターフレーム１３とは、それぞれ、前方へ凸に湾曲する形状を有する。
【００１９】
レンズ１１は無機又は有機の透明板から形成される。本実施形態においてレンズ１１は、前後方向Ｚに透明板が２枚並んで配置された二重レンズ構造となっており、着用時におけるレンズ１１の曇りを防止することができる。レンズフレーム１２は、軟質の弾性材料から形成されている。図３を参照すると、レンズフレーム１２は、レンズ１１の周縁部に密接するとともに、後方に向かって延びるインナーフレーム部２１と、インナーフレーム部２１の後端から周外側へ拡がるスカート２２とを有する。インナーフレーム部２１には、レンズ１１の曇りを防止するためのベンチレーション部２５，２６，２７が形成されている。
【００２０】
ベンチレーション部２５，２６，２７は、レンズフレーム１２をレンズ１１に取り付けた状態において、レンズ１１の上方（すなわち、レンズフレーム１２の上側）かつ後方に位置する上部ベンチレーション部２６と、レンズ１１の下方（すなわち、レンズフレーム１２の下側）かつ後方に位置する下部ベンチレーション部２５と、レンズ１１の横方向Ｘの両側に位置する一対の側部ベンチレーション部２７とを含む。上下部ベンチレーション部２５，２６は、それぞれ、ゴーグル本体１８の横方向Ｘにおける寸法を二等分する縦軸に対して対称となるように対を成して形成されており、上下方向Ｙに開孔している。側部ベンチレーション部２７は、横方向Ｘに開孔している。図３に示すベンチレーション部２５，２６，２７は、略四角形状に形成されているが、形状はこれに限られず、円形状等、任意の形状に形成することができる。また、各ベンチレーション部２５，２６，２７において、対を成す開孔の数は、それぞれ一以上形成されていればよい。各ベンチレーション部２５，２６，２７は、ゴミ等がゴーグル本体１８の内部に侵入することを防止するための通気性を有する発砲部材２８で覆われている。
【００２１】
アウターフレーム１３は、レンズフレーム１２に比して硬質のプラスチック材料によって形成されており、レンズフレーム１２のインナーフレーム部２１に対応した形状を有する。アウターフレーム１３は、フレーム本体１３ａと、中央プレート３３とを有する。本実施形態において、フレーム本体１３ａは、横方向Ｘに離間した一対のサイドフレーム３１，３２からなる。中央プレート３３は、レンズ１１の上方に位置し、一対のサイドフレーム３１，３２を連結している。
【００２２】
図１、図２及び図４を参照すると、サイドフレーム３１，３２は、レンズ１１の上方に位置する上部域３４と、レンズ１１の下方に位置する下部域３５と、レンズ１１の横方向Ｘ外側に位置し、上部域３４と下部域３５とを繋ぐ側部域３６とを有する。上部域３４は、横方向Ｘへ湾曲状に延びて、前後方向Ｚにおいて対向する内端縁４１及び外端縁４２と、横方向Ｘの内側に位置する内端部４３と、横方向Ｘの外側に位置する外端部４４と、内外端部４３，４４の間に位置する中間部４５とを有する。
【００２３】
内端部４３は、中間部４５に比してサイドフレーム３１，３２の板厚が薄くなっており、サイドフレーム３１，３２の内端縁４１から外端縁４２へ向かって延びる凹溝５１が形成されている。凹溝５１の先端部は円形状に形成されており、中央プレート３３に設けられた軸部６７が嵌入される軸受部５１ａを形成している。内端部４３の外端縁４２側には、横方向Ｘの内側に突出する凸部５０ｂが形成されている。
【００２４】
中間部４５は、レンズフレーム１２に当接する底部５２と、底部５２から上方へ延びる柱板５３と、柱板５３の上方に位置して内端部４３及び外端部４２と連なる上面部５４とを有する。底部５２には、レンズフレーム１２の上部ベンチレーション部２６に対応する位置に、後方から前方へ向かう凹部が形成されており、上面部５４は、底部５２に比して前後方向Ｚの幅が大きく形成されている。底部５２、柱板５３及び上面部５４によって、中間部４５には前後方向Ｚへ貫通する空気流路４５ａが形成されている。サイドフレーム３１，３２をレンズフレーム１２に取り付けた状態において、空気流路４５ａは、レンズフレーム１２の上部ベンチレーション部２６と通気可能となるように連通している。外端部４４には、ゴーグル本体１８に着脱可能なライト（図示せず）を装着するための取付部５５が形成されている。中間部４５の横方向Ｘ内側には、外端縁４２側において横方向Ｘの内側に突出する凸部５０ａが形成されている。
【００２５】
下部域３５は、横方向Ｘへ延びる板状に形成されており、レンズフレーム１２の下部ベンチレーション部２５に対応する位置に上下方向Ｙに貫通する複数の通気孔５６が形成されている。着用者がゴーグル１０を装着した状態では、上下部ベンチレーション部２５，２６を介して空気がゴーグル本体１８の内部に流入・流出することにより、ゴーグル本体１８内部の湿気を除去することができる。さらに、レンズフレーム１２の上側であって、アウターフレーム１３との間に前後方向Ｚに貫通する空気流路４５ａを設けることで、下部ベンチレーション部２５から空気を取り込みやすくすることができるとともに、ゴーグル本体１８内部の空気を上部ベンチレーション部２６から流出しやすくすることができ、ゴーグル本体１８内部の湿気をより効果的に除去することができる。
【００２６】
側部域３６は、下部域３５から上部域３４へ向かって延びる板状の連通部５７と、連通部５７から横方向Ｘ外側へ突出し、バックル１４が取り付けられる一対の接続部５８と、連通部５７から横方向Ｘ内側へ突出し、前後方向Ｚへ延びる複数の板状の空気流路板５９とを有する。図４（ｂ）を参照すると、フレーム本体１３ａがレンズフレーム１２に取り付けられた状態において、空気流路板５９は、レンズフレーム１２の側部ベンチレーション部２７に配置された発砲部材２８と当接しており、レンズフレーム１２と、サイドフレーム３１，３２の側部域３６との間には、前後方向Ｚへ貫通する側部空気流路３６ａが形成される。側部空気流路３６ａは側部ベンチレーション部２７と通気可能となるように連通している。側部空気流路３６ａを設けることによって、側部ベンチレーション部２７からゴーグル本体１８外部に流出する空気が側部空気流路３６ａを前後方向Ｚに通過する空気によって押し出されやすくなり、ゴーグル本体１８内部の湿気を効果的に除去することができる。フレーム本体１３ａは、内側に設けられた複数の係止突起４０によってレンズフレーム１２の外周に取り付けられている。
【００２７】
図５は、中央プレート３３を下方側からみた斜視図である。中央プレート３３は、板状に形成されており、フレーム本体１３ａに対して着脱可能に連結される。中央プレート３３は、前後方向Ｚにおいて対向する内端縁６１及び外端縁６２と、上面６３及び下面６４と、横方向Ｘにおいて対向する両側部６５と、両側部６５の間に位置する中間部６６とを有する。外端縁６２の寸法は、内端縁６１のそれよりも小さい。両側部６５は、中間部６６に比して板厚が薄く形成されており、内端縁６１側において下面６４から垂直に突出する軸部６７を有する。軸部６７は、柱部６８と先端部６９とを有し、柱部６８の直径は、サイドフレーム３１，３２の凹溝５１の幅よりも小さく、円形の軸受部５１ａの直径よりも僅かに小さい。先端部６９の直径は、軸受部５１ａの直径よりも大きい。柱部６８の高さ寸法（上下方向Ｙの寸法）は、サイドフレーム３１，３２の内端部４３の厚さ寸法よりも僅かに大きい。両側部６５は、サイドフレーム３１，３２に連結された状態において、サイドフレーム３１，３２の内端部４３と厚さ方向（上下方向Ｙ）において重なる部位であり、内端部４３に対応する形状を有する。外端縁６２側において、両側部６５及び中間部６６は、それぞれ、横方向Ｘ内側に向かって凹曲した当接辺６５ａ，６５ｂが形成されている。
【００２８】
中央プレート３３をフレーム本体１３ａに取り付けた状態であって、図６（ａ）に示す、アウターフレーム１３の横方向Ｘにおける寸法が最長となる状態において、中央プレート３３の横方向Ｘにおける寸法Ｌ２（図５参照）は、アウターフレーム１３の横方向Ｘにおける寸法Ｌ１の約７〜６０％の大きさを有する。寸法Ｌ２は、寸法Ｌ１の約１０〜５０％の範囲であることがより好ましく、約１０〜１５％の範囲であることが更に好ましい。中央プレート３３の横方向Ｘの寸法がかかる範囲にあることにより、ゴーグル本体１８の中央部分の外力による変形を防止し、フィット性をより向上させることができる。
【００２９】
中央プレート３３は、サイドフレーム３１，３２がレンズフレーム１２に取り付けられた状態において、両側部６５がサイドフレーム３１，３２の内端部４３と重なるように、中央プレート３３の外端縁６２側をサイドフレーム３１，３２の上部域３４の内端縁４１から外端縁４２へ向かってスライド移動させて、軸部６７をサイドフレーム３１，３２の凹溝５１に挿入し、軸受部５１ａに嵌め込むことによって、一対のサイドフレーム３１，３２に連結される。図６（ａ）に示す連結状態において、中央プレート３３の両側部６５の当接辺６５ａ及び中間部６６の当接辺６５ｂのそれぞれは、サイドプレート３１，３２の中間部４５の凸部５０ａ及び内端部４３の凸部５０ｂとそれぞれ当接し、中央プレート３３の前方への移動を規制している。本実施形態において、中央プレート３３は内端縁６１から外端縁６２に向かって厚さが小さくなるように形成されており、中央プレート３３をサイドプレート３１，３２に連結させる際に、外端縁６２側を先端としてスライド移動させやすくなっている。
【００３０】
図６及び図７を参照すると、かかるゴーグル本体１８において、一対のサイドフレーム３１，３２は、中央プレート３３の軸部６７と中心として後方へ向かって旋回することができる。一対のサイドフレーム３１，３２は、軟質のレンズフレーム１２に取り付けられているため、サイドフレーム３１，３２の旋回移動に伴って、レンズフレーム１２の横方向Ｘの両側部分が後方へ旋回移動し、これにより、ゴーグル本体１８を着用者の顔面にフィットさせることができる。
【００３１】
中央プレート３３がサイドフレーム３１，３２に取り付けられた状態において、中央プレート３３の外端縁６２をサイドフレーム３１，３２の外端縁４２から内端縁４１に向かってスライド移動させることにより、中央プレート３３をサイドフレーム３１，３２から取り外すことができる。
【００３２】
バックル１４は、例えばプラスチック材料から形成され、サイドフレーム３１，３２の接続部５８に上下方向Ｙを軸方向として旋回可能に連結されるベース７１と、ベース７１に対して上下方向Ｙへ搖動可能なアジャスターユニット７２とを含む。アジャスターユニット７２は、ベース７１に対して上下方向Ｙへ搖動可能に保持されるアジャスター本体７３と、アジャスター本体７３に取り付けられるストッパー７４と、ストッパー７４のための操作部材７５とを含む。また、バックル１４は、オプションとして、ベース７１に取り外し可能に取り付けられたカバー７６をさらに含む。
【００３３】
図２及び図８を参照すると、ベース７１は、アジャスター本体７３を搖動可能に保持するための嵌合孔８１を有するプレート部と、前端部において上下方向Ｙに対向する一対の接続部８２とを有する。この接続部８２には、上下方向Ｙに対向する一対の接続孔が形成されており、この接続孔にサイドフレーム３１，３２の接続部５８が嵌入されることにより、ベース７１はゴーグル本体１８に対し、上下方向Ｙを軸方向として、双頭矢印Ａで示す方向に旋回可能に連結される。
【００３４】
図２及び図９を参照すると、アジャスター本体７３は、板状の底面部８３と、底面部８３の一方の面から突出して、底面部８３をＵ字状に取り囲む周壁部８４と、底面部８３の他方の面から突出して、アジャスター本体７３の一端部側（Ｕ字状の周壁部８４における凸曲側）に位置する嵌合円筒軸８５と、アジャスター本体７３の他端部側（Ｕ字状の周壁部８４の両端側）に位置する案内軸８６とを有する。底面部８３と案内軸８６との間には、ストラップ１５が挿通される案内孔８７が形成されている。周壁部８４には、後述する操作部材７５の指当て部９４が挿入される一対の案内孔８４ａが形成される。アジャスター本体７３は、嵌合円筒軸８５がベース７１の嵌合孔８１に嵌め込まれることにより、嵌合円筒軸８５の突出方向を軸方向として、ベース７１に対して双頭矢印Ｂで示す方向に旋回可能に係合され、これにより、案内軸８６が位置するアジャスター本体７３の他端部側は、上下方向Ｙに搖動可能となる。
【００３５】
ストッパー７４は、凸曲状の前端８９と、前端８９と対向する後端９０と、前端８９の内側に位置して、アジャスター本体７３の周壁部８４に係合する係合突起９１と、後端９０の内部に位置して、ストラップ１５の係合歯１５ａに係合可能な歯止め部９２とを有する。
【００３６】
操作部材７５は、ほぼＶ字状のバネ部９３と、バネ部９３の両端に設けられた指当て部９４とを有する。バネ部９３の前端には、アジャスター本体７３に形成した凹部（図示せず）と係合可能な凸部（図示せず）が形成されている。指当て部９４は、アジャスター本体７３の周壁部８４に形成された案内孔８４ａに挿入される。図８を参照すると、指当て部９４の上下方向Ｙにおける外端は案内孔８４ａから露出しており、着用者が指先で指当て部９４を押圧すると、バネ部９３の間隔が小さくなり、指当て部９４の上下方向Ｙにおける内端に位置する突片がストッパー７４の後端９０をストラップアジャスター本体７３から離間する方向へ押圧する。これにより、ストッパー７４の歯止め部９２が浮き上がってストラップ１５の係合歯１５ａとの係合が開放され、ストラップ１５をその長さ方向への移動調整することができる。
【００３７】
ストラップ１５の一端部には、ゴーグル１０をヘルメット１００に装着するための取付具１６が配設されている。取付具１６は、硬質のプラスチック材料から形成された板状を成し、アタッチメント１７を連結するための嵌合孔１６ａを有する。
【００３８】
図１０及び図１１を参照すると、アタッチメント１７は、ヘルメット１００の周方向において対向するように位置し、かつ、ヘルメット１００のつば１０１を厚さ方向において弾性的な力で挟持可能な２条の狭圧部９５と、狭圧部９５の上方に位置する外側部９６とを有する。狭圧部９５は、ヘルメット１００の外側に位置させる第１部位９５ａと、ヘルメット１００の内側に位置させる第２部位９５ｂと、第１，第２部位９５ａ，９５ｂを繋ぎ、湾曲した状態にある第３部位９５ｃとを有する。外側部９６には、取付具１６の嵌合孔１６ａに旋回可能に嵌め込まれる支持部９６ａが形成されている。狭圧部９５の第２部位９５ｂの延長上には、２条の狭圧部９５を繋ぐ内側部９７が形成されている。
【００３９】
図１１を参照すると、アタッチメント１７をヘルメット１００に装着した状態において、取付具１６は、アタッチメント１７の支持部９６ａを軸として旋回可能であり、ゴーグル本体１８は、支持部９６ａを中心に双頭矢印Ｃで示す方向に往復旋回運動することができる。これにより、ゴーグル１０は、ヘルメット１００を着用した状態において、ゴーグル本体１８をヘルメット１００の周面に装着した状態から着用者の顔面に装着した状態へ容易に移動させることができる。また、ヘルメット１００にゴーグル１０を装着する際に、ストラップ１５の長さを調整して着用者の顔面に対する前後方向Ｚの位置を調整することができるとともに、ヘルメット１００に対するアタッチメント１７の位置によって、ゴーグル本体１８の前後方向Ｚの位置を調整することができる。さらに、アタッチメント１７をヘルメット１００に取り付けてその位置を固定することができるため、ヘルメット１００の着脱を繰り返した場合に、ヘルメット１００の装着時におけるゴーグル１０の位置ずれが生じ難くなり、着用状態を一定に保つことができる。
【００４０】
また、ゴーグル本体１８を顔面に装着した状態において、アウターフレーム１３は、一対のサイドフレーム３１，３２が中央プレート３３に対して後方へ旋回移動可能であるため、サイドフレーム３１，３２とともに、軟質のレンズフレーム１２を着用者の顔面側へ移動させてフィット性を高めることができる。かかる状態において、一対のサイドフレーム３１，３２の上部域３４は、硬質のプラスチック材料からなる中央プレート３３を介して連結されているため、レンズフレーム１２の横方向Ｘにおける中央部分が動くことを抑制し、フィット性を高めることができる。また、中央部分に硬質の中央プレート３３を配置することにより、衝撃に対する保護を強化することができる。
【００４１】
さらに、ゴーグル本体１８と、ストラップ１５との間に介在されるバックル１４は、双頭矢印Ａの方向に旋回可能であるため、ゴーグル本体１８の横方向Ｘにおける両端部を顔面に隙間なくフィットさせることができる。また、バックル１４のアジャスターユニット７２は、ベース７１に対して双頭矢印Ｂの方向へ旋回可能に構成されており、アジャスターユニット７２の一方の端部（アジャスターユニット７２の他端部）がベース７１に対して上下方向Ｙへ搖動可能であるため、アジャスターユニット７２に対して、ゴーグル本体１８が上下方向Ｙへ搖動するように、ゴーグル本体１８の角度を変化させることができる。これにより、ストラップ１５の位置を変えることなく、顔面形状にレンズフレーム１２がフィットするようにゴーグル本体１８の角度を変えることができるとともに、角度の微調整が容易になる。
【００４２】
既述のとおり、中央プレート３３は、一対のサイドフレーム３１，３２にのみ連結されており、レンズフレーム１２の後方側へスライド移動させることにより、サイドフレーム３１，３２から容易に取り外すことができる。レンズフレーム１２は軟質の弾性材料によって形成されているため、中央プレート３３を取り外した状態においては、ゴーグル本体１８を横方向Ｘの中央部分において二つ折りになるように折曲させることができる。そのため、ゴーグル１０をヘルメット１００から取り外して持ち運ぶ際に、ゴーグル本体１８を折り畳んでコンパクトな状態で持ち運ぶことができる。
【００４３】
本実施形態において、フレーム本体１３ａは、二つの部材からなるサイドフレーム３１，３２によって形成されているが、フレーム本体１３ａを一つの部材によって形成してもよい。例えば、フレーム本体１３ａの下部域３５が分離することなく横方向Ｘに連続した形状を成し、かつ、フレーム本体１３ａの上部域３４が横方向Ｘに離間した、上方が開孔する略Ｃ字型のフレーム本体１３ａとしてもよい。また、本実施形態において、ゴーグル１０は、取付具１６及びアタッチメント１７を用いてヘルメット１００に装着する構成であるが、これらを用いることなく、ゴーグル本体１８の横方向Ｘの両端を繋ぐストラップを用いてヘルメット１００に掛ける構成であってもよい。
【符号の説明】
【００４４】
１０    ゴーグル
１１    レンズ
１２    レンズフレーム
１３    アウターフレーム
１３ａ    フレーム本体
１４    バックル
１５    ストラップ
１６    取付具
１７    アタッチメント
１８    ゴーグル本体
２５，２６，２７    ベンチレーション部
３１，３２    サイドフレーム
３３    中央プレート
３４    上部域
４１    上部域の内端縁
４２    上部域の外端縁
４３    内端部
５１    凹溝
５１ａ    軸受部
６５    両側部
６７    軸部
Ｘ    横方向
Ｙ    上下方向
Ｚ    前後方向
【図１】
2016049280.tif 000003
【図２】
2016049280.tif 000004
【図３】
2016049280.tif 000005
【図４】
2016049280.tif 000006
【図５】
2016049280.tif 000007
【図６】
2016049280.tif 000008
【図７】
2016049280.tif 000009
【図８】
2016049280.tif 000010
【図９】
2016049280.tif 000011
【図１０】
2016049280.tif 000012
【図１１】
2016049280.tif 000013